(57)【特許請求の範囲】
【請求項１】
主面に光学膜を備えたフォトマスクブランク製造用の透明石英基板に閃光照射する際に用いられる基板保持具であって、
石英ガラスから成り平坦な基板載置面を有する下本体部と、該下本体部に着脱可能に装着された石英ガラスから成る複数の基板支持部材とを備え、
前記基板支持部材の基板支持面は、前記下本体部の外側から内側に向かって低くなる傾斜部を有しており、
前記基板は、該基板の外周下端部が、前記傾斜部との接触により保持され、
前記下本体部に装着された状態での前記基板支持部材の前記基板支持面は前記基板載置面よりも高い位置にあり、該基板支持面で支持された状態の基板は裏面が前記基板載置面と接触せずに保持され、
前記基板支持部材の頂部は前記基板支持面で支持された状態の基板の表面よりも下方に位置しており、
前記基板支持部材の頂部上方には着脱可能な石英ガラスから成る上本体部が前記基板載置面を開口する態様で設けられており、該上本体部の上面は前記基板支持面で支持された状態の前記基板の表面よりも高い位置にあり、これにより、閃光照射時に斜め入射する光が前記基板の端部に直接照射されることを回避することを特徴とする基板保持具。
【請求項２】
前記基板支持部材は、前記本体部に設けられた凹部に嵌合または収容されて固定されることを特徴とする請求項１に記載の基板保持具。
【請求項３】
前記基板支持部材の上部は凸型の形状を有し、該上部の曲面が基板支持面である請求項１又は２に記載の基板保持具。
【請求項４】
前記基板支持部材を３個備え、前記基板を３点支持することを特徴とする請求項１乃至３の何れか１項に記載の基板保持具。
【請求項５】
前記基板支持部材の基板支持面は、加熱により平滑化されている請求項１乃至４の何れか１項に記載の基板保持具。
【請求項６】
請求項１乃至５の何れか１項に記載の基板保持具に、主面に光学膜を備えたフォトマスクブランク製造用の透明石英基板を載置して該石英基板に閃光を照射する工程を備えた基板閃光照射方法。
【発明の詳細な説明】
【技術分野】
【０００１】
本発明は、基板保持具および基板閃光照射方法に関し、より詳細には、閃光照射による基板損傷やパーティクル付着などを抑制可能な基板保持具およびこれを用いた基板閃光照射方法に関する。
【背景技術】
【０００２】
膜質を改善する手法のひとつに閃光照射法があり、例えば、基板の主面に光学膜などの薄膜が形成されている場合、当該薄膜の改質を目的として閃光照射を行うという基板閃光照射方法である。
【０００３】
このような基板閃光照射を行なう際に、基板を収容している部材の側面や裏面からの反射光が基板に照射されると、当該照射領域には反射光と直接照射光とが重なって照射されることとなって必要以上のエネルギが付与されることとなる結果、薄膜特性が不均一なものとなってしまう。
【０００４】
本発明者らは、このような不都合を防止することを目的とした基板保持部材およびそれを利用したフォトマスクブランクの製造方法についての考案を行い、既に特許出願済みである（特許文献１、特許文献２）。
【０００５】
しかし、その後の検討を進めた結果、閃光照射時の基板損傷やパーティクル付着などの抑制を更に確実なものとするためには、幾つかの改善すべき点があることが明らかとなってきた。
【０００６】
図１は、上述の従来型の基板保持部材（基板保持具）の更なる改善点を説明するための概略図で、この図において、図１（ａ）は基板保持具１００の上面図、図１（ｂ）は基板保持具１００に基板２００を載置した状態の、Ａ−Ａ´に沿う断面図である。
【０００７】
基板保持具１００の内側には矩形の溝１０１が設けられており、基板２００はこの溝１０１の内部に収容される。溝１０１の底部には、複数の基板支持部１０２が一体的に形成され、この基板支持部１０２に支持された状態で基板２００が収容されている。
【０００８】
基板支持部１０２は基板２００に直接接触する部分であり、この部分に僅かな傷などの不具合があると閃光照射中の基板２００を傷つけたりパーティクル汚染を生じさせたりする原因となってしまうため、上記不具合部分を取り替える必要がある。しかし、図１に示したような基板保持具の場合には、基板支持部１０２を交換することは基板保持具１００全体を交換することを意味し、基板保持具１００が石英などの高価な部材からなる場合には製造コストの上昇を招いてしまう。
【０００９】
また、本発明者らの検討によれば、基板２００を支持する部分（基板支持部１０２）が多いほど、基板支持部１０２や基板２００を損傷させ易くなる傾向がある。これは、基板保持具１００の作製段階でのアニール処理中に、基板支持部１０２のそれぞれの高さが微妙に設計値からずれてしまい、基板２００が全ての基板支持部１０２によって確実に保持されないこととなる結果であると理解される。つまり、基板保持に与らない基板支持部１０２があると、当該基板支持部１０２は、基板２００が何らかの原因で動いた場合の衝撃付与源として作用してしまうのである。
【特許文献１】特開２００７−１１４６８０号公報
【特許文献２】特開２００７−１１４６８１号公報
【発明の開示】
【発明が解決しようとする課題】
【００１０】
本発明は、このような問題に鑑みてなされたもので、その目的とするところは、閃光照射時の基板損傷やパーティクル付着などを更に効果的に抑制すること、また、かかる基板保持具を安価に提供することにある。
【課題を解決するための手段】
【００１１】
本発明はこのような課題を解決するために、本発明は、載置された基板を閃光照射する際に用いられる基板保持具であって、平坦な基板載置面を有する本体部と、該本体部に着脱可能に装着された複数の基板支持部材とを備え、前記本体部に装着された状態での前記基板支持部材の基板支持面は前記基板載置面よりも高い位置にあり、該基板支持面で支持された状態の基板は裏面が前記基板載置面と接触せずに保持されることを特徴とする。
【００１２】
前記基板支持部材は、前記本体部に設けられた凹部に嵌合または収容されて固定される態様のものとすることができる。
【００１３】
好ましくは、前記基板支持部材の基板支持面は前記本体部の外側から内側に向かって低くなる傾斜部を有しており、例えば、前記基板支持部材の上部は凸型の形状を有し該上部の曲面が基板支持面である態様とすることができる。
【００１４】
本発明では、前記基板支持部材を３個備え、前記基板を３点支持する態様が好ましい。
【００１５】
前記基板支持部材は前記本体部と同じ材質からなることが好ましく、前記基板支持部材は、例えば、アルミニウム、セラミックス、及び、石英の何れかの材質からなる。また、前記基板支持部材の基板支持面は、加熱により平滑化されていることが好ましい。
【００１６】
本発明において、前記本体部の基板載置面を囲む領域の上面は、前記基板支持部材の基板支持面で支持された状態の基板の表面よりも高い位置にあることが好ましい。
【００１７】
本発明の基板閃光照射方法は、上述の基板保持具に保持された基板に閃光を照射を行なう工程を備えている。例えば、当該基板は、主面に光学膜を備えた透明基板である。
【発明の効果】
【００１８】
本発明によれば、複数の基板支持部材を、基板保持具の本体部に着脱可能に装着する構成するとともに、基板支持面で支持された状態の基板裏面が本体部の基板載置面と非接触の状態で基板保持することとしたので、閃光照射時の基板損傷やパーティクル付着などを効果的に抑制するとともに、基板保持具を安価に提供することが可能となる。
【００１９】
また、このような基板保持具を用いて閃光照射を行なう手法は、光学膜を備えた透明基板の閃光照射を必要とするフォトマスクブランクの製造等に有用である。
【発明を実施するための最良の形態】
【００２０】
以下に図面を参照して、本発明を実施するための最良の形態について説明する。
【００２１】
図２は、本発明の基板保持具の第１の態様を説明するための図である。この図において、図２（ａ）は基板保持具１０の上面図、図２（ｂ）は基板保持具１０に基板２０を載置した状態の、Ｂ−Ｂ´に沿う断面図である。
【００２２】
この図に示した例では、基板保持具１０の本体部は下本体部１１とこの上に載る上本体部１２とからなり、複数の基板支持部材１３が本体部に着脱可能に装着されている。基板２０は、上記の複数の基板支持部材１３の基板支持面によって支持され、下本体部１１の内側の平坦な基板載置面上に載置されることとなる。なお、ここで、「基板支持面」とは、基板（の裏面）と接触する部分を意味する。本発明の基板保持具では、本体部に装着された状態での基板支持部材１３の基板支持面は上記基板載置面よりも高い位置にあるため、この基板支持面で支持された状態の基板２０の裏面は基板載置面とは接触しない。
【００２３】
図３は、基板支持部材１３が本体部に着脱可能に装着される様子を説明するための断面概略図である。下本体部１１には、基板支持部材１３を嵌合ないし収容して固定するための凹部が形成されており（図３（ａ））、基板支持部材１３がこの凹部に固定される（図３（ｂ））。この固定は、基板支持部材１３が凹部内で容易には動かない程度のものとする。これは、何らかの原因で基板保持具が動いた場合に、凹部内で基板支持部材１３が容易に動いてしまうと、それによって基板を傷つけてしまうことがあり得るからである。
【００２４】
基板支持部材１３を下本体部１１の凹部に固定した後、下本体部１１の基板載置面に対応する場所に開口部を有する上本体部１２を載せて基板保持具１０が完成し（図３（ｃ））、この基板保持具１０に基板２０が収容される（図３（Ｄ））。
【００２５】
このような構成の基板保持具１０では、仮に基板支持部材１３に傷がついたり破損したりした場合にも、当該基板支持部材１３のみを取り替えることができ、その他の部分は継続して使用することができる。
【００２６】
図４は、基板支持部材１３の形状、および、当該基板支持部材１３の基板支持面で支持された状態の基板の裏面が下本体部１１の基板載置面と接触せずに保持される様子を説明するための図である。図４（ａ）に示した例では、基板支持部材１３の上部は凸型の形状を有し、該上部の曲面１３ｓが基板支持面となる。
【００２７】
なお、基板支持部材１３の形状がこのような態様に限定されるものではないことは言うまでもないが、基板支持部材１３の基板支持面は、本体部（下本体部１１）の外側から内側（基板載置面側）に向かって低くなる傾斜部を有していることが好ましい。
【００２８】
さらにその形状を円錐形にすることにより、基板は基板端面の稜線部（主面と面取り部の境界部または端面と主面の境界部、または端面と面取り部との境界部など）で基板支持部材と点接触することが望ましい。
【００２９】
このように、基板は、基板端面の稜線部で基板支持部材と接触することにより、装置の振動、閃光照射時の大気の圧力変動等による振動から基板裏面に発生する傷を防止することができる。さらに閃光照射を行なう際に、裏面傷から発生するパーティクルを防止することができる。
【００３０】
また、基板支持面は、加熱によって平滑化しておくことが好ましい。平滑化は、基板との衝突や摩擦が起こった際、あるいは、閃光照射光の局所的な集中に起因するパーティクル発生を防止するためであり、そのような平滑化の方法としては加熱による方法が好ましい。
【００３１】
図４（ｂ）に断面の一部を図示したように、下本体部１１の凹部に収容されて固定された基板支持部材１３の基板支持面は、下本体部１１の基板載置面よりも高い位置にあるため、該基板支持面で支持された状態の基板の裏面と基板載置面との間にギャップが形成され、両面は接触せずに基板２０が保持されることとなる。
【００３２】
そして、図４（ｃ）に断面の一部を示したように、基板支持部材１３を下本体部１１の凹部に収容した後に、下本体部１１の基板載置面に対応する場所に開口部を有する上本体部１２を載せて基板保持具１０が完成する。
【００３３】
なお、図４（ｃ）には、本体部の基板載置面を囲む領域の上面（上本体部１２の上面）が、基板支持部材１３の基板支持面で支持された状態の基板の表面よりも高い位置にある様子が図示されているが、このような態様とすると、閃光照射を行なう場合に、斜めから入射する光が基板の端部に直接照射されることによる、当該部分への過剰なエネルギの付与が回避乃至低減できる。
【００３４】
図５は、本発明の基板保持具の第２の態様を説明するための図である。この図において、図５（ａ）は基板保持具１０の上面図、図５（ｂ）は基板保持具１０に基板２０を載置した状態の、Ｃ−Ｃ´に沿う断面図である。
【００３５】
図２に示した態様のものでは基板支持部材１３の数は４個とされていたのに対し、この図に示した態様のものでは３個となっている点が異なる。基板支持部材１３の数を３個とすることの利点は、全ての基板支持部材１３を確実に基板支持に関与させ得る点にある。基板を支持する箇所が４以上ある場合には、基板支持に与らない基板支持部材が生じ得て、当該基板支持部材が基板への衝撃付与原因となり得る。
【００３６】
図６は、第１および第２の態様のものが備えている上本体部１２を備えていない態様の基板保持具を説明するための図である。この図に示した態様では、下本体部１１の基板載置面を囲む領域の上面が、基板支持部材１３の基板支持面で支持された状態の基板の表面よりも低い位置にあることとなるため、上本体部１２を備えていた方が好ましい。
【００３７】
本発明の基板保持具に用いる基板支持部材１３の材質は、本体部と同じ材質であることが好ましい。これは、両者の材質が異なると、熱膨張量の差に起因してパーティクルが発生する場合があるからである。
【００３８】
基板支持部材１３の材質としては、例えば、アルミニウム、セラミックス、或いは、石英などが例示される。セラミックスとしては、ＳｉＮ、ＳｉＣ、アルミナなどが例示される。また、石英としては、内部に泡が入った石英ガラスなどが例示される。
【００３９】
上述したような基板保持具に基板を保持し、当該基板に閃光照射を行なう手法を採用すると、基板閃光照射時の基板損傷やパーティクル付着などを効果的に抑制することができる。このような基板閃光照射方法は、フォトマスクブランクの製造に用いられるような、主面に光学膜を備えた透明基板の閃光照射方法として有用である。
【００４０】
以下では、本発明を、実施例により具体的に説明する。なお、本発明の基板保持具は、半導体ウエハなどの基板閃光照射一般に広く用いることができるが、以下の実施例および比較例は何れも、キセノンフラッシュランプ（光スペクトル範囲が３００〜１１００ｎｍのもの）を用い、真空下において、３０００〜３５００Ｖ（１６〜２３Ｊ／ｃｍ２）の照射パワーで閃光照射を行なったものである。また、用いた基板は、フォトマスクブランク製造用の透明石英基板である。
【実施例】
【００４１】
（実施例１）：図２に図示した態様の基板保持具を用い、上記条件で閃光照射により基板を処理し、処理枚数１５０枚毎に基板支持部材を交換して閃光照射を繰り返したところ、４５０枚処理しても基板に傷は発生しなかった。
【００４２】
（実施例２）：図５に図示した態様の基板保持具を用い、上記条件で閃光照射により基板を処理したところ、２０００枚処理しても基板に傷は発生しなかった。
【００４３】
（比較例１）：図１に図示した態様の基板保持具を用い、上記条件で閃光照射により基板を処理したところ、２１２枚目に処理した基板で、基板支持部と接触している箇所に傷が発生した。
【００４４】
（比較例２）：図１に図示した態様の基板保持具の基板支持部の数を８個から３個とした態様の基板保持具を用い、上記条件で閃光照射により基板を処理したところ、５７４枚目に処理した基板で、基板支持部と接触している箇所に傷が発生した。
【産業上の利用可能性】
【００４５】
本発明は、閃光照射時の基板損傷やパーティクル付着などを効果的に抑制すること、また、かかる基板保持具を安価に提供することを可能とする。
【図面の簡単な説明】
【００４６】
【図１】従来型の基板保持部材（基板保持具）の更なる改善点を説明するための概略図である。
【図２】本発明の基板保持具の第１の態様を説明するための図である。
【図３】基板支持部材が本体部に着脱可能に装着される様子を説明するための断面概略図である。
【図４】基板支持部材の形状、および、当該基板支持部材の基板支持面で支持された状態の基板の裏面が下本体部の基板載置面と接触せずに保持される様子を説明するための図である。
【図５】本発明の基板保持具の第２の態様を説明するための図である。
【図６】第１および第２の態様のものが備えている上本体部を備えていない態様の基板保持具を説明するための図である。
【符号の説明】
【００４７】
１０、１００  基板保持具
１１  下本体部
１２  上本体部
１３  基板支持部材
２０、２００  基板
１０１  矩形の溝
１０２  基板支持部
【図１】
0005166058.tif 000002
【図２】
0005166058.tif 000003
【図３】
0005166058.tif 000004
【図４】
0005166058.tif 000005
【図５】
0005166058.tif 000006
【図６】
0005166058.tif 000007